(57)【要約】【課題】呼制御サーバや基地局装置から構成されるネットワーク装置であって、呼制御サーバに登録されている一斉呼出エリア以外に在圏している場合でも、移動局装置が着信に応答できるようにすること。【解決手段】ＳＩＰサーバや基地局装置４０から構成されるネットワーク装置において、移動局装置５０と、一斉呼出エリアを示す一斉呼出エリア情報と、を対応付けて記憶する在圏一斉呼出エリア記憶部１１と、在圏一斉呼出エリア記憶部１１に記憶される一斉呼出エリア情報により示される一斉呼出エリアについて、該一斉呼出エリアに関連する１又は複数の一斉呼出エリアを取得する関連一斉呼出エリア取得部４３と、所定の場合に、関連一斉呼出エリア取得部４３により取得された１又は複数の一斉呼出エリアにおいて、一斉呼び出しを行う関連一斉呼出エリア一斉呼出部４４と、を含むことを特徴とする。【選択図】図２
2007274135.tif 000002
【特許請求の範囲】
【請求項１】
移動局装置と、一斉呼出エリアを示す一斉呼出エリア情報と、を対応付けて記憶する在圏一斉呼出エリア記憶手段と、
前記在圏一斉呼出エリア記憶手段に記憶される一斉呼出エリア情報により示される一斉呼出エリアについて、該一斉呼出エリアに関連する１又は複数の一斉呼出エリアを取得する関連一斉呼出エリア取得手段と、
所定の場合に、前記関連一斉呼出エリア取得手段により取得された１又は複数の一斉呼出エリアにおいて、一斉呼び出しを行う関連一斉呼出エリア一斉呼出手段と、
を含むことを特徴とするネットワーク装置。
【請求項２】
請求項１に記載のネットワーク装置において、
ある移動局装置に対し着信があった場合に、該移動局装置について前記在圏一斉呼出エリア記憶手段に記憶される一斉呼出エリア情報により示される一斉呼出エリアにおいて一斉呼び出しを行う在圏一斉呼出エリア一斉呼出手段、
をさらに含み、
前記関連一斉呼出エリア一斉呼出手段は、当該ネットワーク装置が行った一斉呼び出しの結果に応じて、前記関連一斉呼出エリア取得手段により取得された１又は複数の一斉呼出エリアにおいて、一斉呼び出しを行う、
ことを特徴とするネットワーク装置。
【請求項３】
請求項２に記載のネットワーク装置において、
前記在圏一斉呼出エリア記憶手段に記憶される一斉呼出エリア情報により示される一斉呼出エリアに関連づけて、該一斉呼出エリアに関連する複数の一斉呼出エリアをそれぞれ示す複数の一斉呼出エリア情報を、順序付けられた複数の種類に分類して記憶する関連一斉呼出エリア記憶手段、
をさらに含み、
前記関連一斉呼出エリア取得手段は、前記着信に関し前記関連一斉呼出エリア一斉呼出手段が行った一斉呼び出しの回数と、前記関連一斉呼出エリア記憶手段に記憶される一斉呼出エリア情報の順序と、に基づいて、前記一斉呼出エリアについて、該一斉呼出エリアに関連する１又は複数の一斉呼出エリアを取得する、
ことを特徴とするネットワーク装置。
【請求項４】
移動局装置と、一斉呼出エリアを示す一斉呼出エリア情報と、を対応付けて記憶する在圏一斉呼出エリア記憶手段に記憶される一斉呼出エリア情報により示される一斉呼出エリアについて、該一斉呼出エリアに関連する１又は複数の一斉呼出エリアを取得する関連一斉呼出エリア取得ステップと、
所定の場合に、前記関連一斉呼出エリア取得ステップにおいて取得された１又は複数の一斉呼出エリアにおいて、一斉呼び出しを行う関連一斉呼出エリア一斉呼出ステップと、
を含むことを特徴とする一斉呼出方法。
【発明の詳細な説明】
【技術分野】
【０００１】
本発明はネットワーク装置及び一斉呼出方法に関し、特に移動局装置の一斉呼び出しを行うための技術に関する。
【背景技術】
【０００２】
セルラ方式を採用する移動体通信システムでは、一般に複数の一斉呼出エリア（１又は複数のセルからなるエリアであり、一斉呼び出しを行う際の単位となるエリア）が設定され、ネットワーク上に設置される呼制御サーバには、移動局装置ごとに一斉呼出エリアが登録される。ネットワークからある移動局装置に対して着信があった場合には、該移動局装置について呼制御サーバに登録されている一斉呼出エリアを構成する複数のセルにおいて、一斉呼出信号が送信される（例えば、特許文献１）。
【０００３】
呼制御サーバに登録される一斉呼出エリアは、移動局装置の移動に伴い、更新される。この更新にかかる処理は位置登録処理と呼ばれる。以下、位置登録処理について説明する。
【０００４】
基地局装置は、当該基地局装置が構成するセルの属する一斉呼出エリアを示す一斉呼出エリア情報を定期的に報知しており、移動局装置は、常時この一斉呼出エリア情報を受信している。移動局装置は、自身の位置変化に伴って、それまで在圏していた（そのエリアの中にいた）一斉呼出エリアを示す一斉呼出エリア情報とは異なる一斉呼出エリア情報が受信されるようになると、基地局装置を介して呼制御サーバに新たな一斉呼出エリアを登録する。その結果、呼制御サーバには、該移動局装置と対応付けて新たな一斉呼出エリアが登録される。位置登録処理はこうして行われる。
【０００５】
上記背景技術では、移動局装置がある一斉呼出エリアから他の一斉呼出エリアに移動すると必ず位置登録処理がなされる。移動局装置が実際に存在する一斉呼出エリアが呼制御サーバに登録されていないと、移動局装置の存在しない一斉呼出エリアにおいて一斉呼出信号が送出されることになり、移動局装置が一斉呼び出しに応答できなくなってしまうからである。
【特許文献１】特開２００５−２１７９５９号公報
【発明の開示】
【発明が解決しようとする課題】
【０００６】
しかしながら、上記背景技術では実際に着信があるかどうか分からない段階で予防的に位置登録処理を行っていることになり、多くの場合、無駄に移動局装置の保持する電力が消費される結果となってしまっていた。そこで、移動局装置の電力消費量を減少させるために、移動局装置が呼制御サーバに登録されている一斉呼出エリア以外に在圏している場合でも、移動局装置が着信に応答できるようにすることが望まれている。
【０００７】
従って、本発明の課題の一つは、呼制御サーバや基地局装置から構成されるネットワーク装置であって、呼制御サーバに登録されている一斉呼出エリア以外に在圏している場合でも、移動局装置が着信に応答できるようにすることを実現するネットワーク装置及び一斉呼出方法を提供することにある。
【課題を解決するための手段】
【０００８】
上記課題を解決するための本発明にかかるネットワーク装置は、移動局装置と、一斉呼出エリアを示す一斉呼出エリア情報と、を対応付けて記憶する在圏一斉呼出エリア記憶手段と、前記在圏一斉呼出エリア記憶手段に記憶される一斉呼出エリア情報により示される一斉呼出エリアについて、該一斉呼出エリアに関連する１又は複数の一斉呼出エリアを取得する関連一斉呼出エリア取得手段と、所定の場合に、前記関連一斉呼出エリア取得手段により取得された１又は複数の一斉呼出エリアにおいて、一斉呼び出しを行う関連一斉呼出エリア一斉呼出手段と、を含むことを特徴とする。
【０００９】
これによれば、在圏一斉呼出エリア記憶手段に記憶されている一斉呼出エリア以外に在圏している場合でも、関連一斉呼出エリア取得手段により取得された１又は複数の一斉呼出エリアにいる場合には、移動局装置は着信に応答することができる。
【００１０】
また、上記ネットワーク装置において、ある移動局装置に対し着信があった場合に、該移動局装置について前記在圏一斉呼出エリア記憶手段に記憶される一斉呼出エリア情報により示される一斉呼出エリアにおいて一斉呼び出しを行う在圏一斉呼出エリア一斉呼出手段、をさらに含み、前記関連一斉呼出エリア一斉呼出手段は、当該ネットワーク装置が行った一斉呼び出しの結果に応じて、前記関連一斉呼出エリア取得手段により取得された１又は複数の一斉呼出エリアにおいて、一斉呼び出しを行う、こととしてもよい。
【００１１】
これによれば、上記ネットワーク装置による一斉呼び出しの結果に応じて一斉呼出エリアを広げることができる。
【００１２】
また、上記ネットワーク装置において、前記在圏一斉呼出エリア記憶手段に記憶される一斉呼出エリア情報により示される一斉呼出エリアに関連づけて、該一斉呼出エリアに関連する複数の一斉呼出エリアをそれぞれ示す複数の一斉呼出エリア情報を、順序付けられた複数の種類に分類して記憶する関連一斉呼出エリア記憶手段、をさらに含み、前記関連一斉呼出エリア取得手段は、前記着信に関し前記関連一斉呼出エリア一斉呼出手段が行った一斉呼び出しの回数と、前記関連一斉呼出エリア記憶手段に記憶される一斉呼出エリア情報の順序と、に基づいて、前記一斉呼出エリアについて、該一斉呼出エリアに関連する１又は複数の一斉呼出エリアを取得する、こととしてもよい。
【００１３】
これによれば、徐々に一斉呼出エリアを広げていくことができる。
【００１４】
また、本発明にかかる一斉呼出方法は、移動局装置と、一斉呼出エリアを示す一斉呼出エリア情報と、を対応付けて記憶する在圏一斉呼出エリア記憶手段に記憶される一斉呼出エリア情報により示される一斉呼出エリアについて、該一斉呼出エリアに関連する１又は複数の一斉呼出エリアを取得する関連一斉呼出エリア取得ステップと、所定の場合に、前記関連一斉呼出エリア取得ステップにおいて取得された１又は複数の一斉呼出エリアにおいて、一斉呼び出しを行う関連一斉呼出エリア一斉呼出ステップと、を含むことを特徴とする。
【発明を実施するための最良の形態】
【００１５】
本発明の実施の形態について、図面を参照しながら説明する。
【００１６】
図１は、本実施の形態にかかる移動体通信システム１のシステム構成を示す図である。同図に示すように、移動体通信システム１はＳＩＰ（Session Initiation Protocol）サーバ１０と、ネットワーク２０と、ＰＤＳＮ（Packet Data Serving Node:パケット交換機）３０と、基地局装置４０と、移動局装置５０と、を含んで構成される。ＳＩＰサーバ１０、ネットワーク２０、ＰＤＳＮ３０、及び基地局装置４０は、１つのネットワーク装置を構成する。
【００１７】
ＳＩＰサーバ１０、ＰＤＳＮ３０、基地局装置４０、移動局装置５０は、いずれもＣＰＵ及びメモリを備えるコンピュータである。ＣＰＵは、メモリに記憶されるプログラムを実行するための処理ユニットであり、各装置の各部を制御する処理を行うとともに、後述する各機能を実現する。メモリは本実施の形態を実施するためのプログラムやデータを記憶している。また、ＣＰＵのワークメモリとしても動作する。
【００１８】
ネットワーク２０は、ルータ等のＩＰネットワーク機器により構成されるＩＰ網によって構成される。
【００１９】
ＰＤＳＮ３０は、ネットワーク２０と基地局装置４０との間で送受信されるパケットを中継するために設けられる中継装置である。
【００２０】
基地局装置４０は各所に設置される。各基地局装置４０は、それぞれ電波の送受信が可能な地理的エリア（セル）内に存在する移動局装置５０との間で通信を行う。移動局装置５０があるセル内に存在することを、該セルに在圏するという。また、１又は複数のセルにより、一斉呼び出しを行う際の単位となるエリア（一斉呼出エリア）が構成され、移動局装置５０がある一斉呼出エリア内に存在することを、該一斉呼出エリアに在圏するという。
【００２１】
移動局装置５０は、ネットワーク２０に接続している通信装置（不図示）との間でＩＰ電話による通信を行う。
【００２２】
ＳＩＰサーバ１０は、ＩＰ電話の相互接続を行うために、着信側ＩＰ電話の電話番号と、ＩＰアドレスを示す情報と、を対応付けて記憶している。具体的には、着信側ＩＰ電話としての移動局装置５０の電話番号と、該移動局装置５０が在圏する一斉呼出エリアを示す情報とを対応付けて記憶するとともに、一斉呼出エリアと基地局装置４０を示す情報（基地局装置４０のＩＰアドレスなど）とを対応付けて記憶しており、移動局装置５０の電話番号を指定する発信があった場合に、対応付けて記憶している一斉呼出エリアを構成する基地局装置４０において一斉呼び出しを行えるようにしている。
【００２３】
以下では、ＳＩＰサーバ１０と基地局装置４０の機能ブロックを参照しながら、本実施の形態にかかるＳＩＰサーバ１０及び基地局装置４０の機能について、詳細に説明する。
【００２４】
図２は、ＳＩＰサーバ１０と基地局装置４０の機能ブロックを示す図である。同図に示すように、ＳＩＰサーバ１０は機能的に、在圏一斉呼出エリア記憶部１１、基地局装置−一斉呼出エリア対応記憶部１２、在圏一斉呼出エリア一斉呼出部１３を含んで構成され、基地局装置４０は機能的に、基地局装置−一斉呼出エリア対応記憶部４１、関連一斉呼出エリア記憶部４２、関連一斉呼出エリア取得部４３、関連一斉呼出エリア一斉呼出部４４を含んで構成される。
【００２５】
在圏一斉呼出エリア記憶部１１は、移動局装置５０を示す情報と、一斉呼出エリアを示す一斉呼出エリア情報と、を対応付ける在圏一斉呼出エリアテーブルを記憶している。図３は、この在圏一斉呼出エリアテーブルの例を示している。移動局装置５０は、他の通信装置と通信を行うとき、自身の在圏する一斉呼出エリアをＳＩＰサーバ１０に対して通知する。ＳＩＰサーバ１０は、通知された一斉呼出エリアを示す一斉呼出エリア情報を、該移動局装置５０を示す情報と対応付けて在圏一斉呼出エリアテーブルに記憶させる。
【００２６】
基地局装置−一斉呼出エリア対応記憶部１２は、一斉呼出エリアと基地局装置とを対応付ける基地局装置−一斉呼出エリア対応テーブルを記憶している。図４は、この基地局装置−一斉呼出エリア対応テーブルの例を示している。同図に示すように、各一斉呼出エリアは通常複数の基地局装置４０と対応付けられる。こうして各一斉呼出エリアと対応付けて記憶される各基地局装置４０は、それぞれ該対応する一斉呼出エリアを構成する。
【００２７】
在圏一斉呼出エリア一斉呼出部１３は、ある移動局装置５０に対し着信があった場合に、該移動局装置５０について在圏一斉呼出エリアテーブルに記憶される一斉呼出エリア情報により示される一斉呼出エリアにおいて一斉呼び出しを行う。具体的には、基地局装置−一斉呼出エリア対応テーブルから該一斉呼出エリアを構成する基地局装置４０を取得し、該基地局装置４０に対して、着信のあった上記移動局装置５０を示す着信信号を送信する。
【００２８】
基地局装置４０は、こうして送信された着信信号を受信すると、該着信信号により示される移動局装置５０に対して着信があったことを示す情報を、報知チャネルにより報知する。移動局装置５０は、受信可能な１又は複数の報知チャネルを受信しており、その中に当該移動局装置５０に対して着信があったことを示す情報が含まれていた場合、受信されている報知チャネルの中でもっとも受信状態がよいものを送信している基地局装置４０との間で無線通信を開始する。そして、この無線通信を介して、当該移動局装置５０に対して発信した通信装置との間で通信を開始する。
【００２９】
なお、移動局装置５０は、こうして基地局装置４０と無線通信を行うとき、該基地局装置４０により構成される一斉呼出エリアを、ＳＩＰサーバ１０に対して通知する。ＳＩＰサーバ１０は、この情報に基づいて在圏一斉呼出エリアテーブルを更新する。
【００３０】
ところで、移動局装置５０が在圏一斉呼出エリアテーブルに記憶される一斉呼出エリア情報により示される一斉呼出エリアから移動してしまっている場合、移動局装置５０は着信があったことを示す情報を受信することができない。そこで、ある一斉呼出エリアを構成する基地局装置４０のうちの予め定められているひとつ（図２では基地局装置４０−１）は、着信があったことを示す情報を示す情報を含む報知チャネルの送信後、該一斉呼出エリアを構成する１又は複数の基地局装置４０のいずれかにおいて移動局装置５０との無線通信が開始されたか否かを監視し、所定時間内にいずれの基地局装置４０においても移動局装置５０との無線通信が開始されなかった場合、他の一斉呼出エリアにおいて一斉呼び出しを行う。以下、このための機能について説明する。
【００３１】
まず、基地局装置−一斉呼出エリア対応記憶部４１は、基地局装置−一斉呼出エリア対応記憶部１２に記憶される在圏一斉呼出エリアテーブルと同様な在圏一斉呼出エリアテーブルを記憶している。
【００３２】
関連一斉呼出エリア記憶部４２は、当該基地局装置４０が構成する一斉呼出エリア（在圏一斉呼出エリア一斉呼出部１３による一斉呼び出しが行われた一斉呼出エリア）に関連づけて、該各一斉呼出エリアにそれぞれ関連する複数の一斉呼出エリアをそれぞれ示す複数の一斉呼出エリア情報を、順序付けられた複数の種類に分類して記憶するための関連一斉呼出エリアテーブルを記憶している。図５は、この関連一斉呼出エリアテーブルの例を示している。同図では、レベル１，レベル２，レベル３，・・・という表記で順序を表している。
【００３３】
関連一斉呼出エリア取得部４３は、当該基地局装置４０が構成する一斉呼出エリアについて、該一斉呼出エリアに関連する１又は複数の一斉呼出エリアを取得する。具体的には、ある着信に関し、後述する関連一斉呼出エリア一斉呼出部４４が行った一斉呼び出しの回数と、関連一斉呼出エリアテーブルに記憶される一斉呼出エリア情報の順序と、に基づいて、該着信について在圏一斉呼出エリア一斉呼出部１３による一斉呼び出しが行われた一斉呼出エリアについて、該一斉呼出エリアに関連する１又は複数の一斉呼出エリアを取得する。
【００３４】
より具体的には、関連一斉呼出エリア取得部４３は、上記着信に関し関連一斉呼出エリア一斉呼出部４４が行った一斉呼び出しの回数が０回である場合には、レベル１に順序付けられる一斉呼出エリアを取得する。また、上記着信に関し関連一斉呼出エリア一斉呼出部４４が行った一斉呼び出しの回数が１回である場合には、レベル２に順序付けられる一斉呼出エリアを取得する。以下同様に、関連一斉呼出エリア取得部４３は順次一斉呼出エリアを取得する。
【００３５】
関連一斉呼出エリア一斉呼出部４４は、ＳＩＰサーバ１０若しくは当該基地局装置４０−１が行った一斉呼び出しの結果に応じて、関連一斉呼出エリア取得部４３により取得された１又は複数の一斉呼出エリアにおいて、一斉呼び出しを行う。具体的には、これらの一斉呼出エリアを構成する他の１又は複数の基地局装置４０（図２では基地局装置４０−２及び基地局装置４０−３）を基地局装置−一斉呼出エリアテーブルから取得し、これらの基地局装置４０に対して、着信のあった上記移動局装置５０を示す着信信号を送信する。
【００３６】
この着信信号を受信した他の基地局装置４０における処理は、ＳＩＰサーバ１０から着信信号を受信した場合の処理と同様である。基地局装置４０−１は、こうして着信信号を送信した後、いずれかの基地局装置４０において移動局装置５０との無線通信が開始されたか否かを監視し、所定時間内にいずれの基地局装置４０においても移動局装置５０との無線通信が開始されなかった場合、関連一斉呼出エリア一斉呼出部４４において再度一斉呼び出しを行う。このとき、関連一斉呼出エリア一斉呼出部４４が行った一斉呼び出しの回数は１増加するので、関連一斉呼出エリア取得部４３は関連一斉呼出エリア一斉呼出部４４が一斉呼び出しを行った一斉呼出エリアの次に順序付けられる一斉呼出エリアを取得することになる。これにより、関連一斉呼出エリア一斉呼出部４４が再度一斉呼び出しを行う際にも、一斉呼び出しを行った一斉呼出エリアの次に順序付けられる一斉呼出エリアにて一斉呼び出しを行うことになる。
【００３７】
以上説明した処理を、移動体通信システム１の処理シーケンスを参照しながら、再度より具体的に説明する。
【００３８】
図６は、移動体通信システム１の処理シーケンスを示す図である。図６では、関連一斉呼出エリアテーブルにおいて、一斉呼出エリアを順序付けていない例について説明する。図６の初期状態では、在圏一斉呼出エリアテーブルにおいて移動局装置５０−１と対応付けて記憶される一斉呼出エリアは、基地局装置４０−１単独で構成される一斉呼出エリアであるとする。
【００３９】
移動局装置５０−１に対して着信があると、ＳＩＰサーバ１０は、在圏一斉呼出エリアテーブル及び基地局装置−一斉呼出エリア対応テーブルから取得される基地局装置４０−１において、移動局装置５０−１の一斉呼び出しを行う。具体的には、移動局装置５０−１を示すＩＮＶＩＴＥ信号を送信する（Ｓ１）。
【００４０】
ＩＮＶＩＴＥ信号を受信した基地局装置４０−１は、移動局装置５０−１に対する着信があったことを示す情報を示す情報を含む報知チャネル（ＰＣＨ）を所定時間にわたって定期的に送信する（Ｓ２）。これに対し移動局装置５０−１から応答がない場合、基地局装置４０−１は関連一斉呼出エリアテーブルから関連一斉呼出エリアを取得し、該関連一斉呼出エリアを構成する１又は複数の基地局装置４０（図６では基地局装置４０−２と基地局装置４０−ｎ）において、移動局装置５０−１の一斉呼び出しを行う。具体的には、これらの基地局装置４０に対して移動局装置５０−１を示すページング情報メッセージを送信する（Ｓ３）。ページング情報メッセージを受信した基地局装置４０は、移動局装置５０−１に対する着信があったことを示す情報を示す情報を含む報知チャネル（ＰＣＨ）を所定時間にわたって定期的に送信する（Ｓ４）。
【００４１】
ここでは、基地局装置４０−ｎに対して移動局装置５０−１が応答したとすると、移動局装置５０−１は基地局装置４０−ｎに対するハンドオーバを行う（Ｓ５）。このハンドオーバを受けた基地局装置４０−ｎは、ＰＤＳＮ３０との間でセッションを確立する（Ｓ６）。また、ＰＤＳＮ３０は基地局装置４０−１に対して移動局装置５０−１の通信が開始される旨を示す通信開始メッセージを送信し（Ｓ７）、これを受信した基地局装置４０−１は、移動局装置５０−１に関する一斉呼び出しにかかる処理（ページング処理）を中止する。
【００４２】
基地局装置４０−ｎは、ＰＤＳＮ３０との間でセッションを確立すると、移動局装置５０−１に対してＩＮＶＩＴＥ信号を送信する（Ｓ８）。これを受信した移動局装置５０−１はＳＩＰサーバ１０との間で通信を確立する（Ｓ９）とともに、ＳＩＰサーバ１０の在圏一斉呼出エリアテーブルを更新する。その後、移動局装置５０−１は、当該移動局装置５０−１に対して発信した通信装置との通信を開始する（Ｓ１０）。
【００４３】
図７も、移動体通信システム１の処理シーケンスを示す図である。図７では、関連一斉呼出エリアテーブルにおいて、一斉呼出エリアを順序付けている例について説明する。図７の初期状態でも、図６と同様、在圏一斉呼出エリアテーブルにおいて移動局装置５０−１と対応付けて記憶される一斉呼出エリアは、基地局装置４０−１単独で構成される一斉呼出エリアであるとする。
【００４４】
移動局装置５０−１に対して着信があると、ＳＩＰサーバ１０は、在圏一斉呼出エリアテーブル及び基地局装置−一斉呼出エリア対応テーブルから取得される基地局装置４０−１において、移動局装置５０−１の一斉呼び出しを行う。具体的には、移動局装置５０−１を示すＩＮＶＩＴＥ信号を送信する（Ｓ１）。
【００４５】
ＩＮＶＩＴＥ信号を受信した基地局装置４０−１は、移動局装置５０−１に対する着信があったことを示す情報を示す情報を含む報知チャネル（ＰＣＨ）を所定時間にわたって定期的に送信する（Ｓ２）。これに対し移動局装置５０−１から応答がない場合、基地局装置４０−１は関連一斉呼出エリアテーブルからレベル１の関連一斉呼出エリアを取得し、該関連一斉呼出エリアを構成する１又は複数の基地局装置４０において、移動局装置５０−１の一斉呼び出しを行う。具体的には、これらの基地局装置４０に対して移動局装置５０−１を示すページング情報メッセージを送信する（Ｓ２０）。ページング情報メッセージを受信した基地局装置４０は、移動局装置５０−１に対する着信があったことを示す情報を示す情報を含む報知チャネル（ＰＣＨ）を所定時間にわたって定期的に送信する（Ｓ２１）。
【００４６】
Ｓ２１で送信されたＰＣＨに対し移動局装置５０−１の応答がなかった場合（通信開始メッセージが所定時間内に基地局装置４０−１に届かなかった場合）、基地局装置４０−１は関連一斉呼出エリアテーブルからレベル２の関連一斉呼出エリアを取得し、該関連一斉呼出エリアを構成する１又は複数の基地局装置４０において、移動局装置５０−１の一斉呼び出しを行う。具体的には、これらの基地局装置４０に対して移動局装置５０−１を示すページング情報メッセージを送信する（Ｓ２２）。ページング情報メッセージを受信した基地局装置４０は、移動局装置５０−１に対する着信があったことを示す情報を示す情報を含む報知チャネル（ＰＣＨ）を所定時間にわたって定期的に送信する（Ｓ２３）。
【００４７】
Ｓ２３で送信されたＰＣＨに対し移動局装置５０−１が応答したとすると、移動局装置５０−１は特定の基地局装置４０に対するハンドオーバを行う（Ｓ５）。以下の処理は図６におけるものと同様である。
【００４８】
以上説明したように、移動体通信システム１によれば、移動局装置５０が在圏一斉呼出エリアテーブルに記憶されている一斉呼出エリア以外に在圏している場合でも、関連一斉呼出エリア取得部４３により取得された１又は複数の一斉呼出エリアにいる場合には、移動局装置５０は着信に応答することができる。また、在圏一斉呼出エリア一斉呼出部１３及び関連一斉呼出エリア一斉呼出部４４による一斉呼び出しの結果に応じて、徐々に一斉呼出エリアを広げていくことができる。
【００４９】
なお、本発明は上記実施の形態に限定されるものではない。例えば、上記実施の形態ではＩＰ電話を例にとって説明したが、回線交換など他の形態の電話にも本発明を適用することができる。また、上記実施の形態では基地局装置４０−１に関連一斉呼出エリア記憶部４２、関連一斉呼出エリア取得部４３、及び関連一斉呼出エリア一斉呼出部４４を含めたが、これらは必ずしも基地局装置４０に含まれる必要があるものではなく、ネットワーク装置を構成する装置のいずれか１つ以上に含めておくことにより、本発明を実施することができる。また、この場合、関連一斉呼出エリアテーブルにおいて複数の一斉呼出エリアそれぞれと対応付けて関連一斉呼出エリアを記憶することとしてもよい。
【図面の簡単な説明】
【００５０】
【図１】本発明の実施の形態にかかる移動体通信システムのシステム構成を示す図である。
【図２】本発明の実施の形態にかかる移動体通信システムの機能ブロックを示す図である。
【図３】本発明の実施の形態にかかる在圏一斉呼出エリアテーブルの例を示す図である。
【図４】本発明の実施の形態にかかる基地局装置−一斉呼出エリア対応テーブルの例を示す図である。
【図５】本発明の実施の形態にかかる関連一斉呼出エリアテーブルの例を示す図である。
【図６】本発明の実施の形態にかかる移動体通信システムの処理シーケンスを示す図である。
【図７】本発明の実施の形態にかかる移動体通信システムの処理シーケンスを示す図である。
【符号の説明】
【００５１】
１  移動体通信システム、１０  ＳＩＰサーバ、１１  在圏一斉呼出エリア記憶部、１２  基地局装置一斉呼出エリア対応記憶部、１３  在圏一斉呼出エリア一斉呼出部、２０  ネットワーク、３０  ＰＤＳＮ、４０  基地局装置、４１  基地局装置一斉呼出エリア対応記憶部、４２  関連一斉呼出エリア記憶部、４３  関連一斉呼出エリア取得部、４４  関連一斉呼出エリア一斉呼出部、５０  移動局装置。
【図１】
2007274135.tif 000003
【図２】
2007274135.tif 000004
【図３】
2007274135.tif 000005
【図４】
2007274135.tif 000006
【図５】
2007274135.tif 000007
【図６】
2007274135.tif 000008
【図７】
2007274135.tif 000009